(57)【要約】  生物学的に分解可能な、耐凍結性の熱媒流体、地表に近い地熱発電プラントにおけるその使用、及び濃厚物。本発明の対象は、トリアゾール不含の組成物であって、該組成物が水の他に次の成分、ａ）  Ｃ２〜Ｃ３−アルキレングリコール、Ｃ２〜Ｃ３−ポリアルキレングリコール又はグリセリンの少なくとも一種９．２〜４９．５重量％、ｂ）  少なくとも一種の腐食防止剤０．１〜４重量％を、ｃ）  該組成物が、試験法ＯＥＣＤ３０１Ａに準拠して生物学的に良好に分解可能（“すぐに分解可能”）である、ｄ）  該組成物が、試験法ＯＥＣＤ３１１に準拠した少なくとも７５％の嫌気性生分解性を有する、ｅ）  該腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、という条件で含む、地表に近い地熱発電プラントにおける熱媒流体としての、該組成物の使用である。【特許請求の範囲】
【請求項１】
トリアゾール不含組成物であって、該組成物が水の他に次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  少なくとも一種の腐食防止剤０．１〜４重量％、
を、
ｃ）  前記組成物が、試験法ＯＥＣＤ３０１Ａに準拠して生物学的に良好に分解可能（“すぐに分解可能”）である、
ｄ）  前記組成物が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、地表に近い地熱発電プラントにおける熱媒流体としての、該組成物の使用。
【請求項２】
前記腐食防止剤が、シリケート類、硝酸塩類、安息香酸ナトリウム又はモノカルボン酸の塩、ジカルボン酸の塩及びトリカルボン酸の塩から選択される、請求項１に記載の使用。
【請求項３】
２〜７重量％の前記腐食防止剤の含有量によって特徴付けられる、請求項１及び／又は２に記載の使用。
【請求項４】
前記腐食防止剤が、次式で表される化合物のアルカリ金属塩、アルカリ土類金属塩又はアミン塩である、請求項１〜３のいずれか一つに記載の使用。
【化１】
2013521352.tif 000007
（式中、
Ｒ１は、一つ又は二つのＣ１−Ｃ４アルキル基で置換されることができる、分岐状のＣ６−Ｃ１３−アルキル、又はＣ５−シクロアルキルもしくはＣ６−シクロアルキル、又は６〜１３個のＣ原子を有するポリシクロアルキルであり、
Ｒ２は、水素又はＣ１−Ｃ６−アルキルであり、及び
Ｒ３は、直鎖状又は分岐鎖状のＣ１−Ｃ１１−アルキレンである。）
【請求項５】
ｐＨ値が７．０〜１１．４である、請求項１〜４のいずれか一つに記載の使用。
【請求項６】
地表に近い地熱発電プラントのための、トリアゾール不含の熱媒流体であって、水及び次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  少なくとも一種の腐食防止剤０．１〜４重量％、
を、
ｃ）  前記熱媒流体が、試験法ＯＥＣＤ３０１Ａに準拠して生物学的に良好に分解可能（“すぐに分解可能”）である、
ｄ）  前記熱媒流体が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、上記の熱媒流体。
【請求項７】
ａ）  Ｃ２〜Ｃ３−アルキレングリコール、Ｃ２〜Ｃ３−ポリアルキレングリコール又はグリセリンから選択される少なくとも一種の凍結防止剤を２０〜４０重量％、
ｂ）  少なくとも一種の腐食防止剤０．２〜３．２重量％、
ｃ）  水を６６．８〜７８．８重量％、
を含む、請求項６に記載の熱媒流体。
【請求項８】
熱媒流体を製造するための、トリアゾール不含の熱媒濃厚物であって、次の成分、
ａ）  Ｃ２〜Ｃ３−アルキレングリコール、Ｃ２〜Ｃ３−ポリアルキレングリコール又はグリセリンの少なくとも一種９２．４〜９８．９重量％、
ｂ）  少なくとも一種の腐食防止剤１．１〜７．６重量％、
を、
ｃ）  前記熱媒濃厚物が、試験法ＯＥＣＤ３０１Ａに準拠して生物学的に良好に分解可能（“すぐに分解可能”）である、
ｄ）  前記熱媒濃厚物が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、上記の熱媒濃厚物。
【発明の詳細な説明】
【技術分野】
【０００１】
本発明は、地表に近い地熱発電プラント（ｏｂｅｒｆｌａｅｃｈｅｎｎａｈｅｎ，  ｇｅｏｔｈｅｒｍｉｓｃｈｅｎ  Ａｎｌａｇｅｎ）に使用される、凝固点を下回る温度で凍結せず、信頼できる腐食防止性を提供し、そして容易に生分解可能な、熱媒流体に関する。
【背景技術】
【０００２】
地表に近い地熱発電プラントは環境上有意義な熱生産のための代替技術であることから、その数は増加している。この技術はそうこうするうちに十分に発達し、そして熱産生のための油、ガスあるいはその他の化石燃料を使用する従来のシステムの良好な代替システムであると経済的にも見なされている。
【０００３】
地表に近い地熱発電プラントの数に伴い、システムの漏損の際に熱媒が土壌中へ達し、そしてそこで環境上の損害を引き起こす危険も増加している。熱媒の構成成分としてしばしば使用されているグリコール類（エチレングリコール又はプロピレングリコール）は良好な生分解性を示し、そのことは論文中で明らかにされた（Ｇｅｏｔｈｅｒｍｉｃｓ  ３６  （２００７）  ３４８  −  ３６１（非特許文献１））。良好な生分解性とは、ＯＥＣＤ法に従って測定された分解性であると理解されるべきである。
【０００４】
水が熱媒の構成成分である場合、熱媒流体に、例えばグリコールのような凍結防止剤を添加しないと、地表に近い地熱発電プラントの効率は大抵の場合著しく制限されるか、あるいは同じ熱収率を得るために、引き続きより深いボーリングを行わなければならない。土壌中へのより深いボーリングは、環境上及び経済上不確かなものである。その上、この分野で使用されている新しい熱ポンプは、一部は、エネルギーが熱媒から熱ポンプに取り出された後で、熱媒の温度が、土壌中への進入時に零度を下回り、凍結防止が必要とされる程に、効率的である。
【０００５】
しかしながら、使用される腐食防止添加剤もまた、益々、環境適合性評価に焦点が当てられるに至っている。良好でかつ十分な腐食防止性及びシステムの申し分のない操業性を保証できるようにするためには、腐食防止添加剤を添加しなければならない。これらの添加剤がないと、漏損の恐れが著しく増大し、そして、例えば金属イオンのような腐食生成物が土壌中へ達する可能性がある。それに加えて、使用された凍結防止剤は腐食の危険性をも増大させる。たびたび使用されるグリコール類は、経時的な酸化によって有機酸を形成し、それらは腐食を著しく促進させる作用を有する。
【０００６】
今日の技術水準によれば、生分解性の低い腐食防止添加剤、例えば、ベンゾトリアゾールが頻繁に使用されている。これは、より大規模に環境中へ達する恐れがある航空機及び滑走路の除氷剤中には、今日既に、行政的にもはや許容されていない。
【０００７】
腐食防止剤としては、すぐに使用できる状態の熱媒流体には、例えばアミン（しばしば、水質汚染性又は魚介類に対して毒性）も用いられるが、環境に対するその影響も、有害と分類されるべきものである。
【０００８】
生物学的に分解可能の腐食防止剤は、例えば、米国特許第５７８５８９５Ｂ号明細書（特許文献１）から知られており、該明細書には生物学的に分解可能のイミダゾール類が記載されている。
【０００９】
米国特許第７０６０１９９B号明細書（特許文献２）には、機械駆動、特に蒸気モーターのための生物学的に分解可能の機能性流体が記載されている。
【００１０】
ドイツ国特許出願公開第１９８３０４９３A号（特許文献３）は、グリコール類及び腐食防止剤を含む、太陽光発電プラントのための熱媒を開示している。
【００１１】
米国特許第７２４１３９１Ｂ号明細書（特許文献４）には、石灰堆積を防止するための調合物が開示されており、該調合物は、生物学的に分解可能な腐食防止剤及び石灰分散剤を含み、純粋な含水系中で使用するべきである。
【先行技術文献】
【特許文献】
【００１２】
【特許文献１】米国特許第５７８５８９５Ｂ号明細書
【特許文献２】米国特許第７０６０１９９B号明細書
【特許文献３】ドイツ国特許出願公開第１９８３０４９３A号
【特許文献４】米国特許第７２４１３９１Ｂ号明細書
【非特許文献】
【００１３】
【非特許文献１】Ｇｅｏｔｈｅｒｍｉｃｓ  ３６  （２００７）  ３４８  −  ３６１
【発明の開示】
【発明が解決しようとする課題】
【００１４】
本発明の課題は、容易に生分解でき、そしてそれ故、地表に近い地熱発電プラントでの使用に適しており、そして十分な腐食防止を保証する熱媒流体を見出すことであった。
【００１５】
そのために、本発明の対象はトリアゾール不含の組成物であって、該組成物が水の他に次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  少なくとも一種の腐食防止剤０．１〜４重量％、
を、
ｃ）  上記の組成物が、試験法ＯＥＣＤ３０１Ａに準拠して生物学的に良好に分解可能（“すぐに分解可能”）である、
ｄ）  上記の組成物が、試験法ＯＥＣＤ３１１に準拠した少なくとも７５％の嫌気性生分解性を有する、
ｅ）  上記の腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して、生物学的に良好に分解可能（“すぐに分解可能”）である、
という条件で含む、地表に近い地熱発電プラントにおける熱媒流体としての該組成物の使用である。
【００１６】
本発明の更なる対象は、地表に近い地熱発電プラントのための、トリアゾール不含の熱媒流体であって、該流体は水及び次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  少なくとも一種の腐食防止剤０．１〜４重量％、
を、
ｃ）  上記の熱媒流体が、試験法ＯＥＣＤ３０１Ａに準拠して生物学的に良好に分解可能（“すぐに分解可能”）である、
ｄ）  上記の熱媒流体が、試験法ＯＥＣＤ３１１に準拠した少なくとも７５％の嫌気性生分解性を有する、
ｅ）  上記の腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む。
【００１７】
本発明の更なる対象は、熱媒流体を製造するためのトリアゾール不含の熱媒濃厚物であって、該濃厚物は次の成分、
ａ）  Ｃ２〜Ｃ３−アルキレングリコール、Ｃ２〜Ｃ３−ポリアルキレングリコール又はグリセリンの少なくとも一種９２．４〜９８．９重量％、
ｂ）  少なくとも一種の腐食防止剤１．１〜７．６重量％、
を、
ｃ）  上記の熱媒濃厚物が、試験法ＯＥＣＤ３０１Ａに準拠して、生物学的に良好に分解可能（“すぐに分解可能”）である、
ｄ）  上記の熱媒濃厚物が、試験法ＯＥＣＤ３１１に準拠した少なくとも７５％の嫌気性生分解性を有する、
ｅ）  上記の腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む。
【００１８】
本発明の更なる対象は、地表に近い地熱発電プラントを運転する方法であって、その際、本発明の熱媒流体によって熱エネルギーの伝達が実現される、該方法である。
【００１９】
好ましくは、構成成分ａ）及びｂ）のいずれもがそれ自体が生物学的に良好に分解可能である。
【００２０】
“トリアゾール不含”とは、トリアゾールが検出できる量で存在していないことを意味する。
【００２１】
本発明による使用及び本発明による熱媒流体において、好ましい実施形態における水の割合は、合計を１００重量％にする量である。
【００２２】
本発明の熱媒濃厚物が成分ａ）及び成分ｂ）以外に他の成分を含む場合、＞０．０２重量％の濃度で含まれる個々の成分は全て、生分解可能であるという条件を満たす。
【００２３】
本発明の組成物及びその構成成分の生分解性は、テスティング・オブ・ケミカルズ（Ｔｅｓｔｉｎｇ  ｏｆ  Ｃｈｅｍｉｃａｌｓ）３０１及び３１１のＯＥＣＤガイドラインに従って確認される。
【００２４】
本発明の熱媒濃厚物及び本発明の熱媒流体は、試験法ＯＥＣＤ３０１Ａ（１９９２年７月１７日版）に従って、生物学的に良好に分解可能（“すぐに分解可能”（“ｒｅａｄｙ  ｄｅｇｒａｄａｂｌｅ”））である。この試験法ＯＥＣＤ３０１Ａは、本発明の熱媒濃厚物及び本発明の熱媒流体に適用できる。というのも、いずれも水溶性だからである。良好な生分解性は、ＯＥＣＤ３０１Ａの第１０項に定義されている。
【００２５】
本発明の熱媒濃厚物及び本発明の熱媒流体は、試験法ＯＥＣＤ３１１（２００６年３月２３日版）に従って、少なくとも７５％、好ましくは少なくとも８０％の、嫌気性生分解性を示す。
【００２６】
腐食防止剤、あるいは、一つより多くの腐食防止剤が使用される場合には使用される腐食防止剤の全部が、それぞれ使用できる試験法ＯＥＣＤ３０１Ａ（水溶性の腐食防止剤について）又は試験法ＯＥＣＤ３０１Ｂ（水難溶性の腐食防止剤について）（いずれも１９９２年７月１７日版）に従って、生物学的に良好に分解可能（“すぐに分解可能”（“ｒｅａｄｙ  ｄｅｇｒａｄａｂｌｅ”））である。この良好な生分解性はＯＥＣＤ３０１の第１０項で定義されている。
【００２７】
好ましい一実施形態において、本発明の熱媒濃厚物又は本発明の熱媒流体は、７．０〜１１．４のｐＨ値を調整するべく水酸化ナトリウム溶液又は水酸化カリウム溶液を含むか、又はその値を本発明の使用時に調整する。これは、例えば、場合によっては存在する有機酸を中和し、そしていわゆるリザーブアルカリ度（Ｒｅｓｅｒｖｅａｌｋａｌｉｔａｅｔ）、すなわち、酸化性のグリコール分解生成物に起因するｐＨ値の低下を防ぐ緩衝能として利用される。
【００２８】
熱媒濃厚物における構成成分ａ）の割合は、好ましくは９２〜９７重量％、特に、９３〜９５重量％である。
【００２９】
熱媒濃厚物における構成成分ｂ）の割合は、好ましくは２〜７重量％、特に５〜７重量％である。
【００３０】
本発明の特に好ましい実施形態の一つは、
ａ）  Ｃ２〜Ｃ３−アルキレングリコール、Ｃ２〜Ｃ３−ポリアルキレングリコール及びグリセリンから選択される少なくとも一種の凍結防止剤２０〜４０重量％、
ｂ）  少なくとも一種の腐食防止剤０．２〜３．２重量％、及び
ｃ）  水６６．８〜７８．８重量％
を含む熱媒流体、及び地表に近い地熱発電プラントにおけるその使用である。
【００３１】
好ましい腐食防止剤は、次の式で表される化合物のアルカリ金属塩、アルカリ土類金属塩又はアミン塩である。
【００３２】
【化１】
2013521352.tif 000002
【００３３】
（式中、
Ｒ１は、一つ又は二つのＣ１−Ｃ４アルキル基で置換されることができる、分岐状のＣ６−Ｃ１３−アルキル、又はＣ５−シクロアルキルもしくはＣ６−シクロアルキル、又は６〜１３個のＣ原子を有するポリシクロアルキルであり、
Ｒ２は、水素又はＣ１−Ｃ６−アルキルであり、及び
Ｒ３は、直鎖状又は分岐鎖状のＣ１−Ｃ１１−アルキレンである。）
【実施例】
【００３４】
規格ＡＳＴＭ  Ｄ  １３８４に従って、記載されている添加剤の水性混合物の腐食損失を試験した。地表に近い地熱発電プラントにおける熱媒の使用温度が、通常は−２０℃〜＋２０℃であることから、このＡＳＴＭ  Ｄ  １３８４試験を修正して、＋５０℃の試験温度を使用した（ＡＳＴＭ  Ｄ  １３８４によれば＋８８℃が使用される。）。そのほかの点では、試験条件に変更はなかった。
【００３５】
その際、六種の異なる金属を対応する熱媒中へ浸し、そして二週間５０℃で、腐食性のイオン（例えば塩化物類）及び酸素の存在下で貯蔵した。それら金属の質量損失に基づいて、腐食防止性を評価することができる。
【００３６】
次の腐食防止剤が使用された。
防止剤Ｘ：
【００３７】
【化２】
2013521352.tif 000003
【００３８】
防止剤Ａ：  イソノナン酸
防止剤Ｂ：  ２−エチルヘキサン酸
防止剤Ｃ：  セバシン酸
防止剤Ｄ：  トリエタノールアミン
【００３９】
【表１】
2013521352.tif 000004
【００４０】
【表２】
2013521352.tif 000005
【００４１】
腐食性について次のような結果が得られた。
【００４２】
【表３】
2013521352.tif 000006
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
トリアゾール不含組成物であって、該組成物が水の他に次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  次式で表される化合物のアルカリ金属塩、アルカリ土類金属塩又はアミン塩である少なくとも一種の腐食防止剤０．１〜４重量％、
【化１】
2013521352.tif 000008
（式中、
Ｒ１は、一つ又は二つのＣ１−Ｃ４アルキル基で置換されることができる、分岐状のＣ６−Ｃ１３−アルキル、又はＣ５−シクロアルキルもしくはＣ６−シクロアルキル、又は６〜１３個のＣ原子を有するポリシクロアルキルであり、
Ｒ２は、水素又はＣ１−Ｃ６−アルキルであり、及び
Ｒ３は、直鎖状又は分岐鎖状のＣ１−Ｃ１１−アルキレンである。）、
を、
ｃ）  前記組成物が、試験法ＯＥＣＤ３０１Ａに準拠して生物学的に良好に分解可能（“すぐに分解可能”）である、
ｄ）  前記組成物が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、地表付近の地熱発電プラントにおける熱媒流体としての、該組成物の使用。
【請求項２】
２〜７重量％の前記腐食防止剤の含有量によって特徴付けられる、請求項１に記載の使用。
【請求項３】
ｐＨ値が７．０〜１１．４である、請求項１及び／又は２に記載の使用。
【請求項４】
地表付近の地熱発電プラントのための、トリアゾール不含の熱媒流体であって、水及び次の成分、
ａ）  Ｃ２〜Ｃ３−アルキレングリコール、Ｃ２〜Ｃ３−ポリアルキレングリコール又はグリセリンの少なくとも一種９．２〜４９．５重量％、
ｂ）  次式で表される化合物のアルカリ金属塩、アルカリ土類金属塩又はアミン塩である少なくとも一種の腐食防止剤０．１〜４重量％、
【化２】
2013521352.tif 000009
（式中、
Ｒ１は、一つ又は二つのＣ１−Ｃ４アルキル基で置換されることができる、分岐状のＣ６−Ｃ１３−アルキル、又はＣ５−シクロアルキルもしくはＣ６−シクロアルキル、又は６〜１３個のＣ原子を有するポリシクロアルキルであり、
Ｒ２は、水素又はＣ１−Ｃ６−アルキルであり、及び
Ｒ３は、直鎖状又は分岐鎖状のＣ１−Ｃ１１−アルキレンである。）
を、
ｃ）  前記熱媒流体が、試験法ＯＥＣＤ３０１Ａに準拠して生物学的に良好に分解可能（“すぐに分解可能”）である、
ｄ）  前記熱媒流体が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、上記の熱媒流体。
【請求項５】
ａ）  Ｃ２〜Ｃ３−アルキレングリコール、Ｃ２〜Ｃ３−ポリアルキレングリコール又はグリセリンから選択される少なくとも一種の凍結防止剤２０〜４０重量％、
ｂ）  少なくとも一種の腐食防止剤０．２〜３．２重量％、
ｃ）  水６６．８〜７８．８重量％、
を含む、請求４に記載の熱媒流体。
【請求項６】
熱媒流体を製造するための、トリアゾール不含の熱媒濃厚物であって、次の成分、
ａ）  Ｃ２〜Ｃ３−アルキレングリコール、Ｃ２〜Ｃ３−ポリアルキレングリコール又はグリセリンの少なくとも一種９２．４〜９８．９重量％、
ｂ）  次式で表される化合物のアルカリ金属塩、アルカリ土類金属塩又はアミン塩である少なくとも一種の腐食防止剤１．１〜７．６重量％、
【化３】
2013521352.tif 000010
（式中、
Ｒ１は、一つ又は二つのＣ１−Ｃ４アルキル基で置換されることができる、分岐状のＣ６−Ｃ１３−アルキル、又はＣ５−シクロアルキルもしくはＣ６−シクロアルキル、又は６〜１３個のＣ原子を有するポリシクロアルキルであり、
Ｒ２は、水素又はＣ１−Ｃ６−アルキルであり、及び
Ｒ３は、直鎖状又は分岐鎖状のＣ１−Ｃ１１−アルキレンである。）、
を、
ｃ）  前記熱媒濃厚物が、試験法ＯＥＣＤ３０１Ａに準拠して生物学的に良好に分解可能（“すぐに分解可能”）である、
ｄ）  前記熱媒濃縮物が、試験法ＯＥＣＤ３１１に準拠した少なくとも７５％の嫌気性生分解性を有する、
ｅ）  前記腐食防止剤又は使用される腐食防止剤の全部が、ＯＥＣＤ３０１Ａ（水溶性の腐食防止剤に関して）又はＯＥＣＤ３０１Ｂ（水難溶性の腐食防止剤に関して）に準拠して生物学的に良好に分解可能（“すぐに分解可能”）である、
という条件で含む、上記の熱媒濃厚物。
【国際調査報告】
2013521352.tif 000011
2013521352.tif 000012
2013521352.tif 000013
2013521352.tif 000014
2013521352.tif 000015
2013521352.tif 000016